(57)【要約】【課題】意匠性を向上するトイレの室内構造を提供する。【解決手段】本発明のトイレの室内構造（１）は、便器（２）と、この便器（２）の側方の壁面に沿って配置され、カウンター面（１１）を有するカウンター（１０）とを備えている。カウンター面（１１）は、壁面に接する第１の側辺と、壁面から所定間隔を隔てて壁面と略平行に延びる第２の側辺と、第１の側辺の一端と第２の側辺の一端とを結ぶ辺と、第１の側辺の他端と第２の側辺の他端とを結ぶ辺とによって平面形状が形成されている。カウンター（１０）には、第２の側辺から所定間隔を隔てて第２の側辺に対して略平行に延びる帯状のスリット（１８）が形成されている。【選択図】図１
2016036362.tif 000002
【特許請求の範囲】
【請求項１】
便器と、
前記便器の側方の壁面に沿って配置され、カウンター面を有するカウンターとを備え、
前記カウンター面は、前記壁面に接する第１の側辺と、前記壁面から所定間隔を隔てて前記壁面と略平行に延びる第２の側辺と、前記第１の側辺の一端と前記第２の側辺の一端とを結ぶ辺と、前記第１の側辺の他端と前記第２の側辺の他端とを結ぶ辺とによって平面形状が形成され、
前記カウンターには、前記第２の側辺から所定間隔を隔てて前記第２の側辺に対して略平行に延びる帯状のスリットが形成されている、トイレの室内構造。
【請求項２】
前記第１の側辺は、平面視において、前記壁面から前記第２の側辺側に凹入した切り欠きを構成し、
前記スリットは、前記切り欠きの外縁と、前記壁面とによって形成される、請求項１に記載のトイレの室内構造。
【請求項３】
前記第２の側辺は、前記壁面から４０ｍｍ以上離れて位置している、請求項１または２に記載のトイレの室内構造。
【請求項４】
前記スリットは、１５ｍｍ以上の幅を有する、請求項１〜３のいずれか１項に記載のトイレの室内構造。
【請求項５】
前記スリットは、２００ｍｍ以上の長さを有する、請求項１〜４のいずれか１項に記載のトイレの室内構造。
【請求項６】
前記スリットは、前記第２の側辺から２５ｍｍ以上８０ｍｍ以下離れた位置に形成されている、請求項１〜５のいずれか１項に記載のトイレの室内構造。
【請求項７】
前記スリットの下方に設けられ、前記スリットに挿入された挿入物を受けるための受け材をさらに備える、請求項１〜６のいずれか１項に記載のトイレの室内構造。
【請求項８】
前記スリットの下方に設けられ、物品を収納するための収納部材をさらに備える、請求項１〜７のいずれか１項に記載のトイレの室内構造。
【発明の詳細な説明】
【技術分野】
【０００１】
本発明は、トイレの室内構造に関する。
【背景技術】
【０００２】
従来より、トイレ室内には、便器の側方にカウンター及び手摺が設けられている場合がある。このようなトイレの室内構造として、例えば、特開平１０−１８３９２８号公報（特許文献１）、特開平１１−２２５９１５号公報（特許文献２）、特開２００２−２１９０７８号公報（特許文献３）などが挙げられる。
【０００３】
特許文献１には、図１４に示すように、便器１０１に近接する部位に便器１０１側へ突出する湾曲部１０２と、この湾曲部１０２から便器１０１の後方へ向かって延びるカウンター１０３とを備え、湾曲部１０２と側壁１０４との間に少なくとも人の拳が通過できる隙間が形成されている手摺１０５が形成されていることが開示されている。特許文献２には、図１５に示すように、便器１１１の側方にカウンター１１２を配設し、カウンター１１２の便器１１１側の縁部に沿ってえぐり部１１３を設け、別体をなす付加部材１１４がえぐり部１１３に取り付けられて手摺１１５を形成することが開示されている。特許文献３には、図１６に示すように、便器１２１に隣接してカウンター１２２が設けられ、カウンター天板１２３から便器１２１側に突出して、手摺１２４がカウンター天板１２３に一体成形されていることが開示されている。
【先行技術文献】
【特許文献】
【０００４】
【特許文献１】特開平１０−１８３９２８号公報
【特許文献２】特開平１１−２２５９１５号公報
【特許文献３】特開２００２−２１９０７８号公報
【発明の概要】
【発明が解決しようとする課題】
【０００５】
しかしながら、上記特許文献１〜３では、カウンター面から便器側に手摺を突出させている。このため、手摺が目立ってしまい、意匠性が十分でない。
【０００６】
本発明は、上記問題点に鑑み、意匠性を向上するトイレの室内構造を提供することを課題とする。
【課題を解決するための手段】
【０００７】
本発明の一態様に係るトイレの室内構造は、便器と、この便器の側方の壁面に沿って配置され、カウンター面を有するカウンターとを備えている。カウンター面は、壁面に接する第１の側辺と、壁面から所定間隔を隔てて壁面と略平行に延びる第２の側辺と、第１の側辺の一端と第２の側辺の一端とを結ぶ辺と、第１の側辺の他端と第２の側辺の他端とを結ぶ辺とによって平面形状が形成されている。カウンターには、第２の側辺から所定間隔を隔てて第２の側辺に対して略平行に延びる帯状のスリットが形成されている。
【０００８】
本発明の一態様に係るトイレの室内構造において好ましくは、第１の側辺は、平面視において、壁面から第２の側辺側に凹入した切り欠きを構成し、スリットは、切り欠きの外縁と、壁面とによって形成される。
【０００９】
本発明の一態様に係るトイレの室内構造において好ましくは、第２の側辺は、壁面から４０ｍｍ以上離れて位置している。
【００１０】
本発明の一態様に係るトイレの室内構造において好ましくは、スリットは、１５ｍｍ以上の幅を有する。
【００１１】
本発明の一態様に係るトイレの室内構造において好ましくは、スリットは、２００ｍｍ以上の長さを有する。
【００１２】
本発明の一態様に係るトイレの室内構造において好ましくは、スリットは、第２の側辺から２５ｍｍ以上８０ｍｍ以下離れた位置に形成されている。
【００１３】
本発明の一態様に係るトイレの室内構造において、スリットの下方に設けられ、スリットに挿入された挿入物を受けるための受け材をさらに備えていてもよい。
【００１４】
本発明の一態様に係るトイレの室内構造において、スリットの下方に設けられ、物品を収納するための収納部材をさらに備えていてもよい。
【発明の効果】
【００１５】
本発明の一態様に係るトイレの室内構造によれば、意匠性を向上できる。
【図面の簡単な説明】
【００１６】
【図１】実施の形態におけるトイレの室内構造を概略的に示す平面図である。
【図２】実施の形態におけるトイレの室内構造を概略的に示す側面図である。
【図３】実施の形態におけるトイレの室内構造を構成する壁面とカウンターとを概略的に示す平面図である。
【図４】実施の形態の変形例におけるトイレの室内構造を構成する壁面とカウンターとを概略的に示す平面図である。
【図５】実施の形態の変形例におけるトイレの室内構造を構成する壁面とカウンターとを概略的に示す平面図である。
【図６】実施の形態の変形例におけるトイレの室内構造を構成する壁面とカウンターとを概略的に示す平面図である。
【図７】実施の形態におけるトイレの室内構造を構成する壁面とカウンターとを概略的に示す平面図である。
【図８】実施の形態におけるトイレの室内構造を構成する壁面とカウンターとを概略的に示し、図１における線分ＶＩＩＩ−ＶＩＩＩ線に沿った断面図である。
【図９】実施の形態の変形例におけるトイレの室内構造を構成する壁面とカウンターとを概略的に示し、図１における線分ＶＩＩＩ−ＶＩＩＩ線に沿った断面図である。
【図１０】実施の形態におけるトイレの室内構造の変形例を構成する受け材を概略的に示す正面図である。
【図１１】実施の形態におけるトイレの室内構造の変形例を構成するカウンター近傍を概略的に示す側面図である。
【図１２】実施の形態におけるトイレの室内構造の変形例を構成するカウンター近傍を概略的に示す側面図である。
【図１３】実施の形態におけるトイレの室内構造を構成するカウンター面を概略的に示す平面図である。
【図１４】特許文献１において手摺が設置されたトイレを示す斜視図である。
【図１５】特許文献２において手摺が設置されたトイレを示す斜視図である。
【図１６】特許文献３において手摺が設置されたトイレを示す平面図である。
【発明を実施するための形態】
【００１７】
以下、図面に基づいて本発明の一態様に係る実施の形態を説明する。なお、以下の図面において同一または相当する部分には同一の参照符号を付しその説明は繰り返さない。
【００１８】
図１〜図１３を参照して、本発明の一態様に係る一実施形態のトイレの室内構造について説明する。なお、本実施の形態では、便座に座った時の前方を前（図１における左）、便座に座った時の後方を後（図１における右）、便座に座った時の右側を右（図１における上）、便座に座った時の左側を左（図１における下）としている。
【００１９】
図１及び図２に示すように、本発明の実施の形態におけるトイレの室内構造１は、便器２と、この便器２の側方の壁面（本実施の形態では右側壁面３）に沿って配置されたカウンター１０とを備えている。
【００２０】
トイレの室内構造１は、右側壁、左側壁、後壁及び出入口を含む前壁を備え、他の空間と仕切られている。右側壁、左側壁、後壁及び前壁のそれぞれは、内部側に、右側壁面３、左側壁面４、後壁面５及び前壁面６を有している。これらの壁面で形成される空間の内部には、便器２が配置されている。本実施の形態では、便器２は後壁面５近傍に位置しており、対向する右側壁面３及び左側壁面４が便器２の側方に位置している。
【００２１】
カウンター１０は、カウンター面１１を有している。本実施の形態のカウンター面１１は、図３に示すように、主要な領域を占め、所定の幅を有して前後方向に延びる主カウンター面１６と、この主カウンター面１６から便器２側に突出させた副カウンター面１７とを含んでいる。主カウンター面１６は、カウンター面１１において半分を超える領域を占めており、カウンター面１１の印象に強く影響を及ぼす部分である。副カウンター面１７は、図４に示すように、省略してもよい。また、カウンター面１１は、例えば、図５及び図６に示すような形状であってもよい。
【００２２】
具体的には、図５に示すカウンター面１１は、所定の幅を有して前後方向に延びる主カウンター面１６と、主カウンター面１６の後方に連なり、幅が狭くなる副カウンター面１７とを含んでいる。図６に示すカウンター面１１の外周縁は図３と同様であるが、スリット１８が主カウンター面１６の内部に形成されている点で図３と異なる。
【００２３】
図３〜図６に示すように、主カウンター面１６は、前辺１２と、この前辺１２と反対側の後辺１３と、右側壁面３に接する右側辺１４と、右側壁面３から所定間隔を隔てて右側壁面３と略平行に延びる左側辺１５とによって平面形状が形成されている。なお、前辺１２は、右側辺１４の前端と左側辺１５の前端とを結ぶ辺であり、後辺１３は、右側辺の後端と左側辺の後端とを結ぶ辺である。平面形状は、図３〜図６では略四角形であるが、特にこれに限定されない。また、前辺１２、後辺１３、右側辺１４及び左側辺１５は、直線であっても曲線であってもよい。
【００２４】
左側辺１５は、全体的に右側壁面３と略平行に延びる辺であり、図３に示すようにカウンター面１１の外縁と一致していない部分を含んでいてもよく、図４に示すようにカウンター面１１の外縁と一致していてもよく、図５に示すようにカウンター面１１の外縁の一部を含まなくてもよい。図３では、カウンター面１１の内部に左側辺１５の一部が位置し、図５では、主カウンター面１６の外部（副カウンター面１７）に左側辺１５と連なる辺１７Ａが位置している。図３に示すように左側辺１５がカウンター面１１の外縁と一致していない部分を含む場合には、左側辺１５は、カウンター面１１の外縁の主要な部分を占め、カウンター面１１の外縁と一致している部分が全体の半分を超える。図５に示すように左側辺１５がカウンター面１１の外縁の一部を含まない場合には、左側辺１５は、カウンター面１１の外縁の主要な部分を占め、カウンター面１１の外縁を含む部分が全体の半分を超える。
【００２５】
右側辺１４は、全体的に右側壁面３に略平行に延びる。つまり、右側壁面３と右側辺１４と左側辺１５とは、互いに略平行である。また、右側辺１４は、全体的に右側壁面３に接する辺であり、図３〜図５に示すように右側壁面３から左側辺１５側に凹入した切り欠きが形成されて、右側壁面３に接していない部分を含んでいてもよく、図６に示すように右側壁面３に全体が接していてもよい。
【００２６】
図３〜図６に示すように、カウンター１０には、左側辺１５から所定間隔を隔てて左側辺１５に対して略平行に延びる帯状のスリット１８が形成されている。スリット１８は、図３〜図５に示すように、右側壁面３に沿って形成されていてもよく、図６に示すように、右側辺１４から所定間隔を隔てた位置に形成されていてもよい。
【００２７】
図３〜図５に示すスリット１８は、右側辺１４の切り欠きの外縁と右側壁面３とによって形成されている。図６に示すスリット１８は、主カウンター面１６の内部に設けられた貫通穴であり、主カウンター面１６においてスリット１８を取り囲む部分で形成されている。本実施の形態においては、スリット１８を形成する領域の前後方向の長さは、左側辺１５よりも長い。
【００２８】
図７は、図３と同じカウンター面１１を示すが、図７に示すように、カウンター面１１は、第１の領域１１Ａと第２の領域１１Ｂとに分割して考えることもできる。つまり、カウンター面１１は、前後方向の長さが半分を超え、かつ右側辺１４と左側辺１５とが平行である第１の領域１１Ａと、この第１の領域１１Ａと連なり、かつ第１の領域１１Ａの幅と異なる第２の領域１１Ｂとを含む場合、スリット１８は第１の領域１１Ａに形成される。第１の領域１１Ａの幅は、一定である。第２の領域１１Ｂの幅は、一定であってもよく、一定でなくてもよい。
【００２９】
スリット１８は、多目的な用途を有する。例えば、スリット１８は、左側辺１５とで手摺、タオル掛け等として用いてもよく、スリット１８下に配置されたもの（新聞、雑誌、花、芳香剤の芳香成分など）を通すための穴として用いてもよく、スリット１８下に配置されたもの（袋など）に物を入れるための穴として用いてもよい。
【００３０】
スリット１８が手摺の一部として用いられる場合には、図３に示すように、スリット１８と左側辺１５との間の領域Ａを握ることになる。握りやすさを考慮して、スリット１８の角と、カウンター１０の便器側の端面の角とを面取りすることが好ましい。本実施の形態では、図８に示すように、カウンター面１１における左側辺１５、カウンター面１１の裏面１９の左側辺１９Ａ、及びスリット１８における左側辺側の辺の角を面取りすることが好ましい。面取りは、円弧を描くように丸く形成されることが好ましく、例えば半径２ｍｍ以上４ｍｍ以下（２Ｒ以上４Ｒ以下）、より好ましくは半径３ｍｍの円弧を描くように（３Ｒ）丸く面取りされている。
【００３１】
スリット１８がカウンター１０下に新聞、雑誌等の挿入物を通すための穴として用いられる場合には、図９に示すように、トイレの室内構造１は、スリット１８の下方に設けられ、スリット１８に挿入された挿入物を受けるための受け材２０をさらに備えていてもよい。受け材２０は、一端２１が壁面に接して設けられ、水平方向に延びる受け部２２と、他端側において上方に突出する突起２３とを有している。受け部２２により、スリット１８に挿入された新聞等の挿入物を支持でき、突起２３により、新聞等の挿入物が落ちることを防止できる。
【００３２】
図１０に示すように、受け材２０において、前後方向に沿って間隔を隔てて、複数の突起２３が配置されていてもよい。この場合、突起２３にトイレットペーパー２４の芯を挿通することで、受け材２０をトイレットペーパー２４の載置台として用いることができる。
【００３３】
図１１に示すように、トイレの室内構造１は、スリット１８の下方に設けられ、物品を収納するための収納部材３０をさらに備えていてもよい。つまり、収納部材３０の上面にスリット１８が位置していてもよい。収納部材３０は、内部に種々のものを収納可能な箱体である。このようなスリット１８の一使用例として、収納部材３０の内部に花瓶が配置され、スリット１８を介して花瓶に花が挿されている。別の使用例として、収納部材３０の内部に芳香剤が配置され、スリット１８を介して、トイレ室内に芳香成分を供給する。さらに別の使用例として、収納部材３０の内部にボックスティッシュが配置され、スリットを介してティッシュペーパーを露出させる。
【００３４】
なお、図１２に示すように、収納部材３０は、カウンター面１１においてスリット１８が形成されていない領域の下方に設けられてもよい。また、収納部材３０は、カウンター面１１上に設けられてもよい。また、カウンター面１１に洗面ボウルなどの他の部材（図示せず）が配置されてもよい。
【００３５】
また、図１２に示すように、トイレの室内構造１は、スリット１８の下方に設けられた袋４１を支持するための支持部材４０をさらに備えていてもよい。支持部材４０は、カウンター１０下であって、壁面に取り付けられたフックである。この支持部材４０に、袋４１の持ち手を引っ掛けることにより、ごみ箱として使用することができ、スリット１８の上方からスリット１８を介してごみを袋４１に挿入することができる。
【００３６】
ここで、カウンター面１１、及びスリット１８の好ましい寸法について、主に図１３を参照して説明する。
【００３７】
図１３に示すように、カウンター面１１の前後方向の長さＸ１は、好ましくは１０００ｍｍ以上２５００ｍｍ以下であり、より好ましくは１６００ｍｍ以上１９００ｍｍ以下である。カウンター面１１において、前後方向において半分を超える部分を占め、幅が一定の第１の領域１１Ａの前後方向の長さＸ２は、第１の領域１１Ａと異なる幅の第２の領域１１Ｂの長さＸ３の１．２倍以上であることが好ましい。カウンター面１１の床からの高さＺ（図２参照）は、好ましくは６５０ｍｍ以下、より好ましくは６００ｍｍ以下である。
【００３８】
カウンター面１１（主カウンター面１６）の幅Ｙ１は、好ましくは４０ｍｍ以上１８００ｍｍ以下であり、より好ましくは７５ｍｍ以上１３０ｍｍ以下である。カウンター面１１が副カウンター面１７を有している場合には、主カウンター面１６と副カウンター面１７との合計の幅Ｙ２は、主カウンター面１６の幅Ｙ１の１．５倍以下である。カウンター面１１が図５に示すように切り欠きを有する場合には、最少幅Ｙ１７（図５参照）は、カウンター面１１の幅Ｙ１の０．５倍以上である。
【００３９】
スリット１８の開口長さＸ４は、好ましくは２００ｍｍ以上１１００ｍｍ以下、より好ましくは４００ｍｍ以上６００ｍｍ以下である。スリット１８を手摺として用いる場合において握りやすい観点から、スリット１８の前後方向において、便器２の先端に対向する位置から前壁面６に向けての長さは、好ましくは２００ｍｍ以上３００ｍｍ以下、より好ましくは２００ｍｍ以上２５０ｍｍ以下であり、便器２の先端に対向する位置から後壁面５側に向けた長さは、好ましくは０ｍｍ以上８００ｍｍ以下であり、より好ましくは２００ｍｍ以上３５０ｍｍ以下である。
【００４０】
図６及び図１３に示すように、スリット１８が位置する左側辺１５から右側壁面３に向けて所定間隔隔てた幅Ｙ３は、好ましくは２５ｍｍ以上８０ｍｍ以下、より好ましくは４０ｍｍ以上５０ｍｍ以下である。下限以上の場合には、スリット１８を手摺として用いる場合において握りやすい。上限以下の場合には、スリット１８がカウンター面１１において一体化されており、目立ちにくく、意匠性を向上できる。
【００４１】
スリット１８を手摺として用いる場合において握りやすい観点からは、スリット１８の開口幅Ｙ４は、好ましくは１５ｍｍ以上１００ｍｍ以下であり、より好ましくは３５ｍｍ以上８０ｍｍ以下である。また、カウンター面１１においてスリット１８が目立ちにくい観点からは、スリット１８の開口幅Ｙ４は、カウンター面１１の幅Ｙ１に対して２／３以下であることが好ましく、１／２以下であることがより好ましい。
【００４２】
なお、本実施の形態では、カウンター１０は、右側壁面３に沿って配置されているが、左側壁面４に沿って配置されていてもよい。また、トイレを形成する壁は平坦面に限定されず、曲面であってもよい。
【００４３】
また、本実施の形態では、スリット１８は単数であるが、複数のスリットが形成されてもよい。この場合、スリットの延在方向は、第２の側辺（本実施の形態では左側辺１５）に対して略平行に延びる方向のみであることが好ましい。
【００４４】
ここで、本実施の形態のトイレの室内構造１の効果について、上記特許文献１〜３と比較しつつ説明する。
【００４５】
特許文献１では、図１４に示すように、側壁と平行でない湾曲部１０２と側壁１０４との間にスリットを設け、手摺１０５を形成している。つまり、カウンター１０３と連なる湾曲部１０２を便器１０１側へ突出させることで、手摺１０５を設けているので、カウンター面には手摺を形成するスリットは設けられていない。
【００４６】
特許文献２では、図１５に示すように、カウンター１１２のカウンター面の主要な部分を構成する右側辺はえぐり部１１３の外縁であり、えぐり部１１３に付加部材１１４が取り付けられることで手摺１１５が形成されている。つまり、カウンター１１２のカウンター面は、前辺と、後辺と、壁面に接する左側辺１１６と、壁面と平行でないえぐり部１１３の外縁とによって形成される平面形状には、手摺１１５を形成するスリットは設けられていない。
【００４７】
特許文献３では、図１６に示すように、カウンター１２２のカウンター面の主要な部分を構成する左側辺１２５であり、カウンター面において側壁と略平行な左側辺１２５よりも便器１２１側に手摺１２４を突出させている。つまり、左側辺１２５と、右側壁面に接する右側辺と、前辺と、後辺とによって形成される平面形状には、手摺１２４を形成するスリットは設けられていない。
【００４８】
このように、上記特許文献１〜３では、手摺を設けるために、カウンター面から便器側に突出させている。このため、カウンター面にわざわざ手摺が設けられている印象を与えるため、意匠性が十分でない。
【００４９】
一方、本実施の形態のトイレの室内構造１は、便器２と、便器２の側方の壁面（本実施の形態では右側壁面３）に沿って配置され、カウンター面１１を有するカウンター１０とを備え、カウンター面１１は、壁面（右側壁面３）に接する第１の側辺（右側辺１４）と、壁面（右側壁面３）から所定間隔（幅Ｙ１）を隔てて壁面（右側壁面３）と略平行に延びる第２の側辺（左側辺１５）と、第１の側辺（右側辺１４）の一端と第２の側辺（左側辺１５）の一端とを結ぶ辺（前辺１２）と、第１の側辺（右側辺１４）の他端と第２の側辺（左側辺１５）の他端とを結ぶ辺（後辺１３）とによって平面形状が形成され、カウンター１０には、第２の側辺（左側辺１５）から所定間隔（幅Ｙ３）を隔てて第２の側辺（左側辺１５）に対して略平行に延びる帯状のスリット１８が形成されている。
【００５０】
本実施の形態のトイレの室内構造１によれば、壁面（右側壁面３）と第１の側辺（右側辺１４）と第２の側辺（左側辺１５）とが略平行に位置し、スリット１８は、第２の側辺（左側辺１５）から壁面（右側壁面３）側に所定間隔（幅Ｙ３）を隔てた位置に設けられ、第２の側辺（左側辺１５）と平行に延びる。つまり、カウンター面１１において一定幅（幅Ｙ１）以上で延びる平面形状の内側にスリット１８が形成され、スリット１８の延在方向は壁面、第１の側辺及び第２の側辺に平行である。これにより、スリット１８を設けるためにカウンター面１１に突出部分を設けるなどカウンター面１１の外縁のデザインを変更しなくてもよい。また、カウンター面１１は、スリット１８を設けるために、便器２側に突出させる領域を有していない。このため、カウンター１０そのものの印象を残しつつ、スリット１８が形成される。したがって、スリット１８がカウンター面１１にさりげなく形成されているので、スリット１８が目立つことを抑制している。よって、本実施の形態のトイレの室内構造１は、意匠性を向上することができる。
【００５１】
なお、本実施の形態において「略平行」とは、完全に平行なものと、平行に近い状態のものとを含む。後者の場合、例えば、全体的にやや傾斜しているもの、微小な凹部及び凸部の少なくとも一方を部分的または全体的に含むもの、波打っているものなどを含む。
【００５２】
また、本実施の形態のトイレの室内構造１は、意匠性を向上できるという効果に加えて、以下の効果も有する。本実施の形態では、スリット１８は、手摺を必要としない場合には、タオルを掛けることなどの他の目的に用いることができる。上記特許文献１〜３は、手摺として用いることのみが目的とされており、本実施の形態では、スリット１８を多用途に用いることができる。したがって、本実施の形態のトイレの室内構造１は、幅広い年齢層を対象とした集合住宅、戸建住宅など、広く適用可能である。
【００５３】
本実施の形態のトイレの室内構造１において好ましくは、第１の側辺（右側辺１４）は、平面視において、壁面（右側壁面３）から第２の側辺（左側辺１５）側に凹入した切り欠きを構成し、スリット１８は、切り欠きの外縁と、壁面（右側壁面３）とによって形成される。これにより、意匠性を向上できるとともに、カウンター１０の施工が容易である。
【００５４】
本実施の形態のトイレの室内構造１において好ましくは、第２の側辺（左側辺１５）は、壁面（右側壁面３）から４０ｍｍ以上離れて（幅Ｙ１）位置している。これにより、スリット１８が形成されている領域を含んでいても、カウンター１０そのものとしての印象をより強く残すことができる。このため、意匠性をより向上することができる。
【００５５】
本実施の形態のトイレの室内構造１において好ましくは、スリット１８は、１５ｍｍ以上の幅（幅Ｙ４）を有する。これにより、スリット１８に指を容易に入れることができる。このため、スリット１８に人差し指から小指までの４本の指を入れ、親指をカウンター１０の外縁（左側辺１５を含む縁）に添えることで、スリット１８とカウンター１０の外縁とを容易に握ることができる。したがって、単に手を添えるたけでなく握りやすい構造を形成できるので、手摺として好適に用いることができる。
【００５６】
本実施の形態のトイレの室内構造１において好ましくは、スリット１８は、２００ｍｍ以上の長さを有する。これにより、スリット１８に４本の指が容易に入るので、手摺として好適に用いることができる。
【００５７】
本実施の形態のトイレの室内構造１において好ましくは、スリット１８は、第２の側辺（左側辺１５）から２５ｍｍ以上８０ｍｍ以下離れた位置（幅Ｙ３）に形成されている。これにより、スリット１８に４本の指を入れたときに、親指をカウンターの外縁に添えやすいので、スリット１８とカウンター１０の外縁とを容易に握ることができるので、手摺として好適に用いることができる。
【００５８】
本実施の形態のトイレの室内構造１において、スリット１８の下方に設けられ、スリット１８に挿入された挿入物を受けるための受け材２０をさらに備えていてもよい。これにより、新聞、雑誌などの挿入物をスリット１８に挿入することで、収納することができる。
【００５９】
本実施の形態のトイレの室内構造１において、スリット１８の下方に設けられ、物品を収納するための収納部材３０をさらに備えていてもよい。これにより、スリット１８に挿入された物品の一部を収納部材３０で受けることができる。
【００６０】
このように、本実施の形態のトイレの室内構造１は、スリット１８を設けても意匠性を向上することができる。なお、トイレ室内には、紙巻器、タオル掛け、棚など、室内の大きさに比べて多くのものが存在するので、上述した各部材を複数組み合わせることもでき、また、スリット１８の位置を適宜変更することもできる。
【００６１】
本明細書に開示された実施の形態はすべての点で例示であって制限的なものではないと考えられるべきである。本発明の範囲は上記した実施の形態ではなくて特許請求の範囲によって示され、特許請求の範囲と均等の意味及び範囲内でのすべての変更が含まれることが意図される。
【符号の説明】
【００６２】
１  トイレの室内構造、２  便器、３  右側壁面、４  左側壁面、５  後壁面、６  前壁面、１０  カウンター、１１  カウンター面、１１Ａ  第１の領域、１１Ｂ  第２の領域、１２  前辺、１３  後辺、１４  右側辺、１５，１９Ａ  左側辺、１６  主カウンター面、１７  副カウンター面、１７Ａ  辺、１８  スリット、１９  裏面、２０  受け材、２１  一端、２２  受け部、２３  突起、２４  トイレットペーパー、３０  収納部材、４０  支持部材、４１  袋、Ｘ１〜Ｘ４  長さ、Ｙ１〜Ｙ４，Ｙ１７  幅。
【図１】
2016036362.tif 000003
【図２】
2016036362.tif 000004
【図３】
2016036362.tif 000005
【図４】
2016036362.tif 000006
【図５】
2016036362.tif 000007
【図６】
2016036362.tif 000008
【図７】
2016036362.tif 000009
【図８】
2016036362.tif 000010
【図９】
2016036362.tif 000011
【図１０】
2016036362.tif 000012
【図１１】
2016036362.tif 000013
【図１２】
2016036362.tif 000014
【図１３】
2016036362.tif 000015
【図１４】
2016036362.tif 000016
【図１５】
2016036362.tif 000017
【図１６】
2016036362.tif 000018